(57)【要約】【課題】放送受信装置による放送コンテンツを再生する動作により、放送コンテンツ以外の情報をユーザの端末装置に提供する。【解決手段】テレビ装置１０は、メモリに記憶された選局中の放送チャネルを示す選局情報から特定した放送チャネルについて、放送信号を復調して音響信号を生成して放送コンテンツを再生し、選局情報に応じたチャネル情報を音響信号に重畳させて放音する（Ｓ１１〜Ｓ１４）。端末装置２０は、テレビ装置１０から放音された音を示す音響信号を取得してチャネル情報を抽出し（Ｓ２１，Ｓ２２）、抽出したチャネル情報から特定した放送チャネルを含むコンテンツ送信要求をコンテンツサーバ３０に送信する（Ｓ２３）。コンテンツサーバ３０は、放送チャネル毎の放送プログラムに対応してコンテンツ情報を記憶し、コンテンツ送信要求から特定した放送プログラムに対応するコンテンツ情報を端末装置２０に提供する（Ｓ３１，Ｓ３２）。【選択図】図９
2014187490.tif 000002
【特許請求の範囲】
【請求項１】
受信した放送信号を復調して音響信号を生成する音響生成部と、
自装置の制御に用いられる制御情報を記憶するメモリと、
前記メモリに記憶された制御情報を用いて生成した音響透かし情報を、前記音響生成部が生成した音響信号に重畳させる重畳部と、
前記重畳部により音響透かし情報が重畳させられた音響信号に応じて放音させる放音制御部と
を備えることを特徴とする放送受信装置。
【請求項２】
前記制御情報は、自装置において選局中の放送チャネルを示す選局情報を含み、
前記音響生成部は、前記メモリに記憶された選局情報が示す放送チャネルの音響信号を生成し、
前記重畳部は、前記放送チャネルが変更させられた場合、変更後の放送チャネルを特定するための情報を、予め決められた期間だけ音響透かし情報として音響信号に重畳させる
ことを特徴とする請求項１に記載の放送受信装置。
【請求項３】
前記制御情報は、自装置の種別を示す識別情報を含み、
遠隔操作により自装置を制御するための操作信号を、外部の端末装置から受信する受信部と、
前記受信部が受信した操作信号に応じて自装置を制御する装置制御部と
を備え、
前記重畳部は、前記識別情報を音響透かし情報として音響信号に重畳させ、
前記装置制御部は、前記音響透かし情報を用いて前記端末装置が前記識別情報に対応する制御方式に従って生成した操作信号であって、当該端末装置が受け付けた操作に応じて送信した操作信号が前記受信部で受信された場合に、受信された操作信号に応じて自装置を制御する
ことを特徴とする請求項１又は２に記載の放送受信装置。
【請求項４】
受信した放送信号を復調して音響信号を生成する放送受信装置により生成された音響信号を取得する音響信号取得部と、
前記音響信号取得部が取得した音響信号から、前記放送受信装置の制御に用いられる制御情報を用いて生成された音響透かし情報を抽出する抽出部と、
前記抽出部が抽出した音響透かし情報に応じた処理を実行する処理実行部と
を備えることを特徴とする端末装置。
【請求項５】
放送プログラムに対応したコンテンツ情報を記憶するコンテンツサーバと通信する通信部を備え、
前記処理実行部は、
前記抽出部が抽出した音響透かし情報から特定した情報を含むコンテンツ送信要求を、前記通信部の通信により前記コンテンツサーバに送信し、かつ、当該コンテンツ送信要求から特定される放送プログラムに対応した前記コンテンツ情報を、前記通信部の通信により当該コンテンツサーバから取得する
ことを特徴とする請求項４に記載の端末装置。
【発明の詳細な説明】
【技術分野】
【０００１】
本発明は、放送コンテンツとともに放送コンテンツ以外の情報をユーザに提供する技術に関する。
【背景技術】
【０００２】
テレビ放送では映像及び音声を含む放音コンテンツが視聴者に提供されるが、放音コンテンツとは別に、各視聴者に個別の情報を提供するための技術が特許文献１に開示されている。特許文献１は、ユーザが視聴した放送コンテンツに関連した広告データを、ユーザ端末経由でそのユーザに提示することを開示している。
【先行技術文献】
【特許文献】
【０００３】
【特許文献１】特開２００９−３０３１２０号公報
【発明の概要】
【発明が解決しようとする課題】
【０００４】
ところで、特許文献１に記載された発明では、広告データをユーザ端末に提供するための仕組みがやや複雑である。具体的には、広告サーバがテレビ装置及びユーザ端末の双方とネットワーク経由で接続されている。広告サーバは、テレビ装置及びユーザ端末と通信することにより、テレビ装置にて視聴されたテレビ番組とその視聴者であるユーザとを関連づける。そして、広告サーバは、テレビ装置にて視聴されたテレビ番組のデータを示すテキスト情報からキーワードを抽出し、抽出したキーワードに関連する広告データをユーザ端末に送信する。
【０００５】
このように特許文献１に記載された発明では、テレビ装置（放送受信装置）は、放送コンテンツを再生する動作とは別に、広告データの提示に必要な情報をネットワーク通信により広告サーバに送信しなければならない。
これに対し、本発明の目的は、放送受信装置による放送コンテンツを再生する動作により、放送コンテンツ以外の情報をユーザの端末装置に提供することである。
【課題を解決するための手段】
【０００６】
上述した目的を達成するために、本発明に係る放送受信装置は、受信した放送信号を復調して音響信号を生成する音響生成部と、自装置の制御に用いられる制御情報を記憶するメモリと、前記メモリに記憶された制御情報を用いて生成した音響透かし情報を、前記音響生成部が再生した音響信号に重畳させる重畳部と、前記重畳部により音響透かし情報が重畳させられた音響信号に応じて放音させる放音制御部とを備えることを特徴とする。
【０００７】
本発明の放送受信装置において、前記制御情報は、自装置において選局中の放送チャネルを示す選局情報を含み、前記音響生成部は、前記メモリに記憶された選局情報が示す放送チャネルの音響信号を生成し、前記重畳部は、前記放送チャネルが変更させられた場合、変更後の放送チャネルを特定するための情報を、決められた期間だけ音響透かし情報として音響信号に重畳させるようにしてもよい。
【０００８】
本発明の放送受信装置において、前記制御情報は、自装置の種別を示す識別情報を含み、遠隔操作により自装置を制御するための操作信号を、外部の端末装置から受信する受信部と、前記受信部が受信した操作信号に応じて自装置を制御する装置制御部とを備え、前記重畳部は、前記識別情報を音響透かし情報として音響信号に重畳させ、前記装置制御部は、前記音響透かし情報を用いて前記端末装置が前記識別情報に対応する制御方式に従って生成した操作信号であって、当該端末装置が受け付けた操作に応じて送信した操作信号が前記受信部で受信された場合に、受信された操作信号に応じて自装置を制御するようにしてもよい。
【０００９】
本発明に係る端末装置は、受信した放送信号を復調して音響信号を生成する放送受信装置により生成された音響信号を取得する音響信号取得部と、前記音響信号取得部が取得した音響信号から、前記放送受信装置の制御に用いられる制御情報を用いて生成された音響透かし情報を抽出する抽出部と、前記抽出部が抽出した音響透かし情報に応じた処理を実行する処理実行部とを備えることを特徴とする。
【００１０】
本発明の端末装置において、
放送プログラムに対応したコンテンツ情報を記憶するコンテンツサーバと通信する通信部を備え、前記処理実行部は、前記抽出部が抽出した音響透かし情報から特定した情報を含むコンテンツ送信要求を、前記通信部の通信により前記コンテンツサーバに送信し、かつ、当該コンテンツ送信要求から特定される放送プログラムに対応した前記コンテンツ情報を、前記通信部の通信により当該コンテンツサーバから取得するようにしてもよい。
【発明の効果】
【００１１】
本発明によれば、放送受信装置による放送コンテンツを再生する動作により、放送コンテンツ以外の情報をユーザの端末装置に提供することができる。
【図面の簡単な説明】
【００１２】
【図１】放送受信システムの全体構成を示す図。
【図２】テレビ装置の構成を示すブロック図。
【図３】端末装置の構成を示すブロック図。
【図４】コンテンツサーバの構成を示すブロック図。
【図５】コンテンツＤＢのデータ構造を示す図。
【図６】音響透かし制御部の機能的構成を示す機能ブロック図。
【図７】端末装置の制御部の機能的構成を示す機能ブロック図。
【図８】コンテンツサーバの制御部の機能的構成を示す機能ブロック図。
【図９】放送受信システムにおける処理の流れを示すシーケンスチャート。
【図１０】コンテンツＤＢのデータ構造を示す図。
【図１１】放送受信システムにおける処理の流れを示すシーケンスチャート。
【図１２】端末装置の構成を示すブロック図。
【図１３】端末装置の制御部の機能的構成を示す機能ブロック図。
【図１４】放送受信システムにおける処理の流れを示すシーケンスチャート。
【図１５】放送受信システムの全体構成を示す図。
【図１６】端末装置の機能的構成を示すブロック図。
【発明を実施するための形態】
【００１３】
以下、図面を参照しつつ本発明の実施形態を説明する。
［第１実施形態］
まず、本発明の第１実施形態を説明する。
図１は、放送受信システム１の全体構成を示す図である。
放送受信システム１は、テレビ装置１０と、端末装置２０と、コンテンツサーバ３０とを備える。テレビ装置１０は、例えば、地上デジタルテレビ放送に対応した放送信号を受信する放送受信装置である。この放送信号によってテレビ装置１０で再生される放送コンテンツは、映像及び音声のほか、いわゆるデータ放送で提供されるコンテンツや、電子プログラムガイド（ＥＰＧ；Electronic Program Guide）を用いて提供されるコンテンツを含む。放送コンテンツは、本実施形態において、放送信号を復調して得られるコンテンツを総称したものといって差し支えない。
【００１４】
端末装置２０は、例えばスマートフォンであり、テレビ装置１０で再生された放送コンテンツの視聴者たるユーザにより所有される。コンテンツサーバ３０は、端末装置２０のユーザがテレビ装置１０で放送コンテンツを視聴した際に、その放送コンテンツに関連したコンテンツ情報を端末装置２０に提供するサーバ装置である。このコンテンツ情報は、放送コンテンツとは別のコンテンツを示す。コンテンツサーバ３０は、例えば、放送事業者やテレビ放送の番組スポンサによって管理される。端末装置２０とコンテンツサーバ３０とは、ネットワークＮＷ経由で通信可能に接続されている。ネットワークＮＷは、ここでは、移動体通信網、ゲートウェイ及びインターネットを含む通信網である。
【００１５】
図２は、テレビ装置１０の構成を示すブロック図である。図２に示すように、テレビ装置１０は、メインコントローラ１１と、記憶部１２と、チューナ部１３と、表示部１４と、音響透かし制御部１５と、スピーカ１６と、操作信号受信部１７とを備える。
メインコントローラ１１は、ＣＰＵ（Central Processing Unit）を含む演算装置やワークエリアとして用いられるＲＡＭ（Random Access Memory）１１１を備える装置制御部である。メインコントローラ１１では、演算装置が記憶部１２に記憶されたプログラムをＲＡＭ１１１に読み出して実行することにより、テレビ装置１０の各部を制御する。一例として、メインコントローラ１１は、いわゆる音響透かしの技術を利用してＲＡＭ１１１に記憶された情報を端末装置２０に提供するよう、音響透かし制御部１５を制御する。
【００１６】
記憶部１２は、例えばＥＥＰＲＯＭ（Electronically Erasable and Programmable Read Only Memory）を備える記憶装置である。記憶部１２は、メインコントローラ１１で実行されるプログラムのほか、テレビ装置１０の制御に用いられる情報（以下、「制御情報」という。）を記憶する。制御情報は、例えば、製品識別情報や選局情報、ユーザ設定情報、エリア情報、ＥＰＧデータを含む。
【００１７】
製品識別情報は、テレビ装置１０の種別を示す識別情報であり、例えば、テレビ装置１０の製造メーカ名や型番を特定することが可能な情報である。製品識別情報は、いわゆる学習リモコンやマルチリモコンでテレビ装置１０を遠隔操作により制御する場合に、これらのリモコンの初期設定に用いられる情報である。選局情報は、テレビ装置１０で選局中の放送チャネルを示す情報である。選局情報は、例えば、現にテレビ装置１０で放送コンテンツが再生されている放送チャネルを示す情報である。また、選局情報は、テレビ装置１０の電源がオフされているときには、次にテレビ装置１０の電源がオンされたときに、最初に放送内コンテンツが再生される放送チャネルを示す情報である。
【００１８】
ユーザ設定情報は、テレビ装置１０の動作状態に関して、ユーザにより設定された内容を示す情報である。ユーザ設定情報は、例えば、テレビ装置１０における音量の設定パラメータや、表示部１４における表示の明るさやコントラスト比等を規定する映像表示モードの設定パラメータを含む。
エリア情報は、テレビ装置１０が設置された地理上の位置を示す情報である。エリア情報は、ここでは、電話番号を用いて区別することのできるエリア（例えば、市町村）を示す情報である。エリア情報は、テレビ装置１０の初期設定等において放送コンテンツを再生可能な放送チャネルを探索（スキャン）する際に用いられたり、データ放送で提供される放送コンテンツから各エリアに対応した放送コンテンツを抽出するために用いられたりする。エリア情報は、ユーザにより手動設定されたエリアを示す場合もあれば、テレビ装置１０がいわゆるオートスキャンを行って、そのスキャン結果から自動設定されたエリアを示す場合もある。
ＥＰＧデータは、電子プログラムガイドに関する制御に用いられる情報であり、番組表や各番組の詳細な番組情報等に関する情報を含む。ＥＰＧデータは、放送信号経由でテレビ装置１０に提供される。
【００１９】
記憶部１２は、制御情報として、通常のテレビジョンが記憶している情報を含む前掲の情報以外の情報を記憶することもある。制御情報には、選局情報やエリア情報、ＥＰＧデータのように放送信号に基づく制御に用いられる情報もあれば、ユーザ設定情報のように放送信号に基づく制御以外の制御に用いられる情報もある。また、制御情報には、ＥＰＧデータのように放送信号経由でテレビ装置１０に提供される情報もあれば、選局情報やエリア情報、ユーザ設定情報のように放送信号経由でない経路でテレビ装置１０に提供される情報もある。
以上の記憶部１２及びＲＡＭ１１１は、テレビ装置１０に内蔵され、上記制御情報を記憶することのあるメモリである。
【００２０】
チューナ部１３は、図示せぬアンテナ経由で受信した放送信号を復調し、復調により得られた信号にデコード等の各種処理を施して、映像信号や音響信号を生成する。チューナ部１３は、生成した映像信号や音響信号に基づいて放送コンテンツを再生する。このチューナ部１３は、メインコントローラ１１の制御の下、ＲＡＭ１１１（記憶部１２）に記憶された選局情報が示す放送チャネルの放送コンテンツを再生する。表示部１４は、ここでは液晶ディスプレイであり、チューナ部１３で生成された映像信号に応じて映像を表示する。
【００２１】
音響透かし制御部１５は、メインコントローラ１１から取得した制御情報を用いて、チューナ部１３で再生された音響信号に音響透かし情報を重畳させるための制御を行う。
スピーカ１６は、チューナ部１３で再生された音響信号に応じて放音する放音部である。
操作信号受信部１７は、例えば赤外線受光素子を備え、テレビ装置１０を遠隔操作により制御するための操作信号を、赤外線光通信により図示せぬリモコン装置から受信する。メインコントローラ１１は、操作信号受信部１７が受信した操作信号が示す操作に応じて、テレビ装置１０を制御する。例えば、メインコントローラ１１は、操作信号受信部１７が受信した操作信号に応じて、記憶部１２に記憶された選局情報やユーザ設定情報、エリア情報を更新し、その更新結果に応じて動作させるようにテレビ装置１０を制御する。
【００２２】
図３は、端末装置２０の構成を示すブロック図である。図２に示すように、端末装置２０は、制御部２１と、ＵＩ（User Interface）部２２と、無線通信部２３と、マイクロホン２４と、スピーカ２５と、記憶部２６とを備える。
制御部２１は、ＣＰＵを含む演算装置やメモリを備える制御部である。演算装置は、メモリや記憶部２６に記憶されたプログラムを実行することにより、端末装置２０の各部を制御する。ＵＩ部２２は、例えばタッチパネルを備え、ユーザからの操作を受け付けるとともに、画像や音により情報を報知する。無線通信部２３は、無線通信回路やアンテナを備え、ネットワークＮＷに接続するためのインタフェースである。マイクロホン２４は、端末装置２０と電気的に接続された収音部であり、収音（検出）した音を示す音響信号を制御部２１に出力する。マイクロホン２４は、受話音声や端末装置２０周辺の音を示す音響信号を制御部２１に出力する。この音響信号は、例えば、音波形を表すアナログ形式の波形信号である。アナログ形式の音響信号は、制御部２１においてサンプリングされてデジタル形式の音響信号に変換される。スピーカ２５は、送話音声などを放音する放音部である。記憶部２６は、例えばＥＥＰＲＯＭを備え、制御部２１が用いる各種のプログラムを記憶する。記憶部２６は、例えば、端末装置２０が上述した音響透かし情報を用いた処理を実行するために用いられるプログラムを記憶する。
【００２３】
図４は、コンテンツサーバ３０の構成を示すブロック図である。図４に示すように、コンテンツサーバ３０は、制御部３１と、通信部３２と、記憶部３３とを備える。
制御部３１は、ＣＰＵを含む演算装置やメモリ、現在時刻を測るタイマ等を備える制御装置である。演算装置は、メモリに記憶されたプログラムを実行することにより、コンテンツサーバ３０の各部を制御する。通信部３２は、ネットワークＮＷに接続するためのインタフェースである。記憶部３３は、例えばハードディスク装置を備え、制御部３１が各種制御を行うために実行するプログラムや、コンテンツ情報が蓄積されたコンテンツＤＢ（DataBase）３３１を有する。
【００２４】
図５は、コンテンツＤＢ３３１のデータ構造を示す図である。
図５に示すように、コンテンツＤＢ３３１は、「放送チャネル」と、「放送プログラム」と、「放送時間帯」と、「コンテンツ情報」という各情報を対応付けたデータ構造である。「放送チャネル」は、テレビ装置１０が受信可能な放送信号の放送チャネルを示す情報である。この放送チャネルは、テレビ装置１０が設置された放送エリアで受信可能な放送チャネルのみならず、いわゆるローカル放送等の放送チャネルであって、テレビ装置１０が設置された場所では受信不可の放送チャネルを含んでいてもよい。「放送プログラム」は、本実施形態では各テレビ番組を識別する情報であるが、コマーシャル等のテレビ番組以外の単位で識別する情報であってもよい。「放送時間帯」は、放送コンテンツが放送される時間帯を示す情報である。「コンテンツ情報」は、放送プログラムに関連したコンテンツを示す情報であり、例えば、番組スポンサが提供する広告やクーポン券、通信販売の案内等のコンテンツ、放送プログラムの内容に関連したコンテンツ（例えば、ドラマ番組の人物相関図）等を示す。具体的には、放送プログラム「プロ野球中継」に対応付けられたコンテンツ情報として、プロ野球の対戦チームの選手名鑑や試合観戦チケットを購入するための案内等が考えられる。また、放送プログラム「料理番組」に対応付けられたコンテンツ情報として、番組で紹介された料理を作るためのレシピ等が考えられる。これ以外にも、コンテンツ情報として、各種の広告データや動画ファイル等の様々なものがありうる。
以上のように、コンテンツＤＢ３３１には、放送チャネル毎の放送プログラムに対応してコンテンツ情報が記憶されている。
【００２５】
図６は、音響透かし制御部１５の機能的構成を示す機能ブロック図である。図６に示すように、音響透かし制御部１５は、重畳部１５１と、放音制御部１５２とに相当する機能を実現する。
重畳部１５１は、メインコントローラ１１のＲＡＭ１１１に記憶された情報を用いて生成した音響透かし情報を、チューナ部１３が生成した音響信号に重畳させる。重畳部１５１は、例えばＭ系列やＧｏｌｄ系列などの拡散符号を用いたり、ＯＦＤＭ（Orthogonal Frequency-Division Multiplexing）変調を用いたりして、音響透かし情報を生成する。重畳部１５１は、典型的には、チューナ部１３が生成した音響信号の周波数成分よりも高い周波数帯域（例えば、１８ｋＨｚ以上）を用いて、音響信号に音響透かし情報を重畳させる。本実施形態では、重畳部１５１は、テレビ装置１０の放送チャネルが変更させられた場合に、変更後の放送チャネルを特定するためのチャネル情報を、予め決められた期間だけ音響信号に重畳させる。チャネル情報は、ここでは、テレビ装置１０で選局中の放送チャネルを示し、選局情報と同一の情報である。
放音制御部１５２は、重畳部１５１により音響透かし情報が重畳させられた音響信号に応じてスピーカ１６に放音させる。
【００２６】
図７は、端末装置２０の制御部２１の機能的構成を示す機能ブロック図である。図７に示すように、制御部２１は、音響信号取得部２１１と、抽出部２１２と、通信制御部２１３と、コンテンツ取得部２１４とに相当する機能を実現する。
音響信号取得部２１１は、放音制御部１５２の制御に応じてスピーカ１６で放音された音を示す音響信号をマイクロホン２４から取得する。
抽出部２１２は、音響信号取得部２１１が取得した音響信号から音響透かし情報を抽出する。抽出部２１２は、例えばＨＰＦ（High Pass Filter）を備え、このＨＰＦを用いたフィルタリング処理を施して、音響信号から音響透かし情報を抽出する。
【００２７】
通信制御部２１３は、抽出部２１２が抽出した音響透かし情報に応じて、無線通信部２３の制御に関わる処理を実行する。例えば、通信制御部２１３は、抽出部２１２が抽出したチャネル情報を用いて放送チャネルを特定して、特定した放送チャネルを含むコンテンツ送信要求を、無線通信部２３の通信によりコンテンツサーバ３０に送信する。
コンテンツ取得部２１４は、通信制御部２１３の制御により送信されたコンテンツ送信要求に応じてコンテンツサーバ３０により提供されたコンテンツ情報を、無線通信部２３の通信によりコンテンツサーバ３０から取得する。
【００２８】
図８は、コンテンツサーバ３０の制御部３１の機能的構成を示す機能ブロック図である。図８に示すように、制御部３１は、プログラムを実行することにより、要求取得部３１１と、コンテンツ提供部３１２とに相当する機能を実現する。
要求取得部３１１は、端末装置２０から通信部３２により受信されたコンテンツ送信要求を取得する。
コンテンツ提供部３１２は、コンテンツ送信要求が要求取得部３１１により取得されると、コンテンツ送信要求に含まれた放送チャネルに応じて、チャネル情報の取得元となった放送プログラムに対応してコンテンツＤＢ３３１に記憶されたコンテンツ情報を選択する。コンテンツ提供部３１２は、選択したコンテンツ情報を通信部３２の通信により端末装置２０に提供する。
【００２９】
図９は、放送受信システム１における処理の流れを示すシーケンスチャートである。
テレビ装置１０は自装置の電源がオンされると、放送コンテンツの再生を開始する。具体的には、メインコントローラ１１は、記憶部１２に記憶された選局情報をＲＡＭ１１１に読み出してこれを取得する（ステップＳ１１）。次に、メインコントローラ１１は、チューナ部１３により受信した放送信号を復調して映像信号及び音響信号を生成して、選局情報が示す放送チャネルの放送コンテンツを再生する（ステップＳ１２）。放送コンテンツの再生の開始とともに、メインコントローラ１１は、音響透かし制御部１５を制御して、チューナ部１３が生成した音響信号に音響透かし情報を重畳させる処理を開始する。
【００３０】
メインコントローラ１１は、ＲＡＭ１１１に記憶された選局情報に基づいて音響透かし制御部１５にチャネル情報を供給し、チューナ部１３により生成された音響信号にチャネル情報をさせるよう、音響透かし制御部１５を制御する（ステップＳ１３）。ここでは、メインコントローラ１１は、放送チャネル「ＣＨ１」を示すチャネル情報を音響信号に重畳させる。そして、メインコントローラ１１は、チャネル情報が重畳させられた音響信号に応じてスピーカ１６に放音させるよう、音響透かし制御部１５を制御する（ステップＳ１４）。
なお、チャネル情報は、端末装置２０で各情報が示す内容を特定できる形式で音響信号に重畳させられるとよい。
【００３１】
端末装置２０の制御部２１は、コンテンツサーバ３０からコンテンツ情報の提供を受けるためのアプリケーションプログラムを予め実行し、この実行期間中には、マイクロホン２４により検出された音を示す音響信号を取得する（ステップＳ２１）。マイクロホン２４により検出される音として、ここでは、ステップＳ１４の処理により放音された音を想定する。次に、制御部２１は、マイクロホン２４から取得した音響信号から、チャネル情報を抽出する（ステップＳ２２）。次に、制御部２１は、抽出したチャネル情報を用いて放送チャネルを特定し、特定した放送チャネルを含むコンテンツ送信要求を、無線通信部２３によりコンテンツサーバ３０に送信する。
【００３２】
コンテンツサーバ３０の制御部３１は、通信部３２により端末装置２０からコンテンツ送信要求を受信してこれを取得すると、取得したコンテンツ送信要求に応じたコンテンツ情報をコンテンツＤＢ３３１から選択する（ステップＳ３１）。ここで、制御部３１は、コンテンツ送信要求に含まれた放送チャネルと、タイマで計る現在時刻が含まれる放送時間帯とに対応付けて、コンテンツＤＢ３３１に記憶されたコンテンツ情報を選択する。現在時刻が「１９：３０」である場合、コンテンツ送信要求に含まれた放送チャネルが「ＣＨ１」であるから、制御部３１は「コンテンツ情報Ａ」を選択する。
制御部３１は、通信部３２の通信により、選択したコンテンツ情報を端末装置２０に提供する（ステップＳ３２）。
【００３３】
端末装置２０の制御部２１は、コンテンツサーバ３０から提供されたコンテンツ情報を無線通信部２３により受信してこれを取得する。制御部２１は、取得したコンテンツ情報を記憶部２６に記憶させ、更に、そのコンテンツ情報が示す内容をＵＩ部２２により提示する（ステップＳ２４）。ここでは、制御部２１は、プロ野球中継に対応するコンテンツ情報として、選手名鑑や試合観戦チケットを購入するための案内が記述されたコンテンツ情報を取得する。
【００３４】
ところで、テレビ装置１０は常に音響信号にチャネル情報を重畳させているのではない。テレビ装置１０のメインコントローラ１１は、チャネル情報を重畳させた音響信号に応じた放音を開始してから、予め決められた所定期間（例えば、１０秒）が経過すると、チャネル情報の重畳を停止させるよう、音響透かし制御部１５を制御する（ステップＳ１５）。以降、メインコントローラ１１は、チューナ部１３で生成された音響信号にチャネル情報を重畳させないでスピーカ１６に放音させる。
【００３５】
次に、メインコントローラ１１は、端末装置２０のユーザのリモコン操作などによってチャネル変更を指示する操作が行われると、その操作に応じて放送チャネルを変更する（ステップＳ１６）。このとき、メインコントローラ１１は、ユーザのリモコン操作に応じた操作信号を操作信号受信部１７により受信すると、受信した操作信号に応じて、ＲＡＭ１１１及び記憶部１２に記憶しておいた選局情報を更新する。ここでは、放送チャネルを「ＣＨ１」から「ＣＨ２」に変更させるリモコン操作が、ユーザにより行われたとする。
【００３６】
次に、メインコントローラ１１は、ＲＡＭ１１１に記憶された選局情報に応じてチャネル情報を音響透かし制御部１５に供給し、チューナ部１３により生成された音響信号にチャネル情報をさせるよう音響透かし制御部１５を制御する（ステップＳ１７）。ここでは、メインコントローラ１１は、放送チャネル「ＣＨ２」を示すチャネル情報を音響信号に重畳させてスピーカ１６に放音させる。
以降も、メインコントローラ１１は、チャネル変更があったことを契機に音響信号にチャネル情報を重畳させて放音し、予め決められた所定期間が経過すると、この重畳を停止させる。
【００３７】
以上説明した第１実施形態の放送受信システム１では、端末装置２０は、放送コンテンツ含まれる音を検出して、その音を示す音響信号に音響透かし情報として重畳させられたチャネル情報を抽出する。次に、端末装置２０は、抽出したチャネル情報を用いて放送チャネルを特定して、特定した放送チャネルを含むコンテンツ送信要求をコンテンツサーバ３０に送信する。そして、端末装置２０は、ユーザが視聴中の放送プログラムに関連するコンテンツ情報をコンテンツサーバ３０から取得する。以上の作用により、放送受信システム１によれば、テレビ装置１０による放送コンテンツを再生する動作により、放送コンテンツ以外の情報を端末装置２０に提供することができる。
【００３８】
また、放送受信システム１では、テレビ装置１０は、放送コンテンツを再生するために生成した音響信号に音響透かし情報を重畳させる構成を有するもので、例えばコンテンツサーバ３０とネットワーク経由の通信を行う必要がない。また、テレビ装置１０は、内部のメモリに記憶しておいた制御情報を流用して音響透かし情報を生成するので、音響透かし情報の生成のためだけに用いられる情報を記憶しなくてよい。これらの作用により、テレビ装置１０について、従来のテレビジョンからの設計変更を少なくすることができる。また、テレビ装置１０は、自装置における制御に関連した情報を、音響透かしの技術を用いて端末装置２０に提供することができる。
【００３９】
また、端末装置２０は、音響透かし情報としてのチャネル情報を音響信号から抽出し、抽出したチャネル情報に基づいてコンテンツサーバ３０にコンテンツ情報の送信を要求して、コンテンツサーバ３０からコンテンツ情報を取得する。コンテンツサーバ３０は、端末装置２０からのコンテンツ送信要求に応じて、ユーザが視聴中の放送プログラムを特定するから、その特定にテレビ装置１０との通信を要しない。以上の作用により、放送受信システム１では、放送コンテンツと並行して端末装置２０に情報を提供するための仕組みが複雑になるのを抑制することができる。
更に、テレビ装置１０は常にチャネル情報を音響信号に重畳させているわけではないので、常にチャネル情報を重畳させる場合に比べて、テレビ装置１０における消費電力を低減させることができる。端末装置２０は、コンテンツ情報を取得するためにチャネル情報を得ることができればよいので、チャネル情報の重畳が停止させられても自装置の動作において差し支えがない。
【００４０】
＜第１実施形態の変形例＞
上述した第１実施形態の構成を、以下に説明する構成に変形してもよい。
上述した第１実施形態では、コンテンツサーバ３０において、ひとつの放送プログラムに対応してひとつのコンテンツ情報が対応付けられていたが、ひとつの放送プログラムに複数のコンテンツ情報が対応付けられていてもよい。この変形例では、コンテンツサーバ３０は、コンテンツＤＢ３３１に代えてコンテンツＤＢ３３１ａを記憶している。
【００４１】
図１０は、コンテンツＤＢ３３１ａのデータ構造を示す図である。
図１０に示すようにコンテンツＤＢ３３１ａは、「放送チャネル」と、「放送プログラム」と、「放送時間帯」と、「エリア情報」と、「コンテンツ情報」という各情報を対応付けたデータ構造である。「放送チャネル」と、「放送プログラム」と、「放送時間帯」と、「コンテンツ情報」という各情報は、上述した第１実施形態と同一の情報である。「エリア情報」は、テレビ装置１０が設置された位置を示す位置情報である。コンテンツＤＢ３３１ａにおいて、エリア情報毎に個別にコンテンツ情報が対応付けられている。すなわち、同一の放送プログラムに対応するコンテンツ情報であっても、「○○県Ａ市」に対応するコンテンツ情報と、「○○県Ｂ市」に対応するコンテンツ情報とは異なる。
【００４２】
図１１は、放送受信システム１における処理の流れを示すシーケンスチャートである。以下の説明において、図９と同じ符号を付した処理ステップは第１実施形態と同じ処理が行われる。また、対応する処理ステップには、符号の末尾に「ａ」を付す。
メインコントローラ１１は、記憶部１２から選局情報及びエリア情報をＲＡＭ１１１に読み出して、選局情報及びエリア情報を取得する（ステップＳ１１ａ）。次に、メインコントローラ１１は、チューナ部１３により受信した放送信号を復調して映像信号及び音響信号を生成して、選局情報が示す放送チャネルの放送コンテンツを再生する（ステップＳ１２）。
【００４３】
次に、メインコントローラ１１は、ＲＡＭ１１１に記憶された選局情報に応じたチャネル情報、及びＲＡＭ１１１に記憶されたエリア情報を音響透かし制御部１５に供給し、チューナ部１３により生成された音響信号にチャネル情報及びエリア情報を重畳させるよう、音響透かし制御部１５を制御する（ステップＳ１３ａ）。ここでは、メインコントローラ１１は、放送チャネル「ＣＨ１」を示すチャネル情報と、エリア情報「○○県Ａ市」とを音響信号に重畳させる。そして、メインコントローラ１１は、チャネル情報及びエリア情報が重畳させられた音響信号に応じて、スピーカ１６に放音させる（ステップＳ１４）。メインコントローラ１１は、チャネル情報及びエリア情報を重畳させた音響信号に応じた放音を開始してから、予め決められた所定期間が経過すると、チャネル情報及びエリア情報の重畳を停止させるよう、音響透かし制御部１５を制御する（ステップＳ１５ａ）。そして、メインコントローラ１１は、上述の第１実施形態と同様、放送チャネルが変更させられると（ステップＳ１６）、チューナ部１３により生成された音響信号にチャネル情報及びエリア情報を重畳させるよう、音響透かし制御部１５を制御する（ステップＳ１７ａ）。
なお、チャネル情報及びエリア情報は、端末装置２０で各情報が示す内容を特定できる形式で音響信号に重畳させられるとよい。
【００４４】
端末装置２０の制御部２１は、マイクロホン２４により検出された音を示す音響信号を取得する（ステップＳ２１）。次に、制御部２１は、マイクロホン２４から取得した音響信号からチャネル情報及びエリア情報を抽出する（ステップＳ２２ａ）。次に、制御部２１は、チャネル情報から特定した放送チャネルとエリア情報とを含むコンテンツ送信要求を、無線通信部２３によりコンテンツサーバ３０に送信する（ステップＳ２３ａ）。
【００４５】
コンテンツサーバ３０の制御部３１は、通信部３２により端末装置２０からコンテンツ送信要求を受信すると、コンテンツ送信要求に応じて、端末装置２０に提供するコンテンツ情報をコンテンツＤＢ３３１ａから選択する（ステップＳ３１）。ここで、制御部３１は、コンテンツ送信要求に含まれた放送チャネル及びエリア情報と、現在時刻が含まれる放送時間帯とに対応付けてコンテンツＤＢ３３１ａに記憶されたコンテンツ情報を選択する。現在時刻が「２１：３０」である場合、コンテンツ送信要求に含まれた放送チャネルは「ＣＨ１」で、エリア情報は「○○県Ａ市」であるから、制御部３１は、「コンテンツ情報Ｄ１」を選択する。次に、制御部３１は、選択したコンテンツ情報を通信部３２の通信により端末装置２０に提供する（ステップＳ３２）。
以降、上述した第１実施形態と同様にして放送受信システム１は動作する。
【００４６】
この変形例によれば、コンテンツサーバ３０は、テレビ装置１０の設置された位置に対応したコンテンツ情報を端末装置２０に提供することができる。例えば、全国放送のテレビ番組内である製品が紹介された場合に、その製品を購入したいと考えたユーザは近所の店舗でそれを購入したいと考えることがある。これに対し、この変形例の放送受信システム１において、各エリアに所在する店舗の広告を示すコンテンツ情報をコンテンツサーバ３０が記憶していれば、各エリア内での当該店舗に関する情報という、地域に特化した情報を、各エリアのユーザの端末装置２０に提供することができる。
なお、テレビ装置１０は、チャネル情報とエリア情報とを必ずしも同時に音響信号に重畳させる必要はなく、これらの重畳時期を時間的にずらすようにしてもよい。
【００４７】
また、テレビの位置を示す位置情報は、電話番号で区別可能なエリアを示すエリア情報に限らず、郵便番号で区別可能なエリアを示してもよいし、ユーザにより入力された住所から区別可能なエリアであってもよい。また、テレビ装置１０がＧＰＳ（Global Positioning System）測位を行うことが可能であれば、この測位結果をテレビ装置１０が設置された位置として扱われてもよい。
【００４８】
また、上述した第１実施形態において、テレビ装置１０は、チャネル情報に代えて、放送コンテンツを再生中の放送プログラムを識別する情報（以下、「プログラムＩＤ」という。）を音響信号に重畳させてもよい。この場合、端末装置２０は、プログラムＩＤを含むコンテンツ送信要求をコンテンツサーバ３０に送信する。コンテンツサーバ３０は、コンテンツ送信要求に含まれるプログラムＩＤで識別される放送プログラムに対応するコンテンツ情報を選択し、選択したコンテンツ情報を端末装置２０に提供する。この構成であっても、上述した第１実施形態と同様、コンテンツサーバ３０は放送プログラムに対応したコンテンツ情報を提供することができる。
なお、この変形例において、コンテンツＤＢ３３１が放送チャネル及び放送時間帯を記憶していなくてもよい。また、テレビ装置１０は、例えばＥＰＧデータに含まれたプログラムＩＤを用いてもよい。
【００４９】
［第２実施形態］
上述した第１実施形態では、放送受信システム１は、テレビ装置１０の視聴者たるユーザの端末装置２０にコンテンツ情報を提供するシステムであった。本実施形態の放送受信システム１は、テレビ装置１０の視聴者たるユーザの端末装置２０が、テレビ装置１０を遠隔操作するためのリモコン装置として動作するシステムである。本実施形態において、上述した第１実施形態と同じ符号を付した構成要素は、上述した第１実施形態と同等に機能するから、以下では相違点を主に説明する。なお、放送受信システム１の各装置のハードウェア構成は上述した第１実施形態と同じであり、その説明を省略する。また、本実施形態の放送受信システム１において、コンテンツサーバ３０は不要である。
【００５０】
図１２は、端末装置２０の構成を示すブロック図である。図１２に示すように、端末装置２０は、制御部２１と、ＵＩ部２２と、無線通信部２３と、マイクロホン２４と、スピーカ２５と、記憶部２６と、操作信号送信部２７とを備える。操作信号送信部２７は、赤外線発光素子等を有し、テレビ装置１０の操作信号受信部１７に対し、ＵＩ部２２による受け付けた操作に応じた操作信号を赤外線光通信により送信する。この操作信号は、テレビ装置１０のチャネル変更や音量変更など、一般的なリモコンが送信する操作信号と同じ操作を示す信号が想定される。
【００５１】
次に、音響透かし制御部１５の機能的構成を説明する。音響透かし制御部１５は、上述した第１実施形態と同様、重畳部１５１と、放音制御部１５２とに相当する機能を実現する。
重畳部１５１は、ＲＡＭ１１１に記憶された制御情報を用いて生成した音響透かし情報を、チューナ部１３が生成した音響信号に重畳させる。ここでは、重畳部１５１は、製品識別情報を音響信号に重畳させる。放音制御部１５２は、重畳部１５１により音響透かし情報が重畳させられた音響信号に応じて、スピーカ１６に放音させる。
【００５２】
図１３は、端末装置２０の制御部２１の機能的構成を示す機能ブロック図である。図１３に示すように、制御部２１は、音響信号取得部２１１と、抽出部２１２と、設定部２１５と、受付部２１６と、操作信号生成部２１７と、送信制御部２１８とに相当する機能を実現する。
音響信号取得部２１１は、放音制御部１５２の制御に応じてスピーカ１６で放音された音を示す音響信号をマイクロホン２４から取得する。抽出部２１２は、音響信号取得部２１１が取得した音響信号から音響透かし情報（ここでは、製品識別情報）を抽出する。
設定部２１５は、テレビ装置１０等の外部装置を遠隔操作により制御するための複数の制御方式のうち、抽出部２１２が抽出した識別情報に対応した制御方式を選択する。設定部２１５は、選択した制御方式を自装置に設定して、その設定内容を記憶部２６に記憶させる。この複数の制御方式を規定する情報は、例えば、テレビ装置１０の製造メーカや型番などの種別に対応付けて、予め記憶部２６に記憶されている。また、制御方式を規定する情報が外部サーバに記憶されていて、設定部２１５は、無線通信部２３の通信によりこの外部サーバから制御方式を規定する情報を取得してもよい。このようにして、設定部２１５は、テレビ装置１０を遠隔操作により制御することができる制御方式を製品識別情報を用いて特定し、特定した制御方式を設定する。
【００５３】
受付部２１６は、ＵＩ部２２の操作により端末装置２０が受け付けた操作を受け付ける。
操作信号生成部２１７は、設定部２１５で設定され記憶部２６に記憶された制御方式に従って、受付部２１６が受け付けた操作の内容に応じた操作信号を生成する。
送信制御部２１８は、操作信号生成部２１７が生成した操作信号を、操作信号送信部２７によりテレビ装置１０に送信する。
【００５４】
図１４は、放送受信システム１における処理の流れを示すシーケンスチャートである。
メインコントローラ１１は、テレビ装置１０に対し所定の操作が行われて製品識別情報の送信が指示されると、記憶部１２に記憶された製品識別情報をＲＡＭ１１１に読み出してこれを取得する（ステップＳ１１ｂ）。次に、メインコントローラ１１は、チューナ部１３により受信した放送信号を復調して映像信号及び音響信号を生成して、ＲＡＭ１１１に記憶された選局情報が示す放送チャネルの放送コンテンツを再生する（ステップＳ１２）。
【００５５】
次に、メインコントローラ１１は、ＲＡＭ１１１に読み出した製品識別情報を音響透かし制御部１５に供給し、チューナ部１３により生成された音響信号に製品識別情報を重畳させるよう、音響透かし制御部１５を制御する（ステップＳ１３ｂ）。そして、メインコントローラ１１は、製品識別情報が重畳させられた音響信号に応じてスピーカ１６に放音させる（ステップＳ１４）。
【００５６】
端末装置２０の制御部２１は、製品識別情報を受信するためのアプリケーションプログラムを予め実行していて、マイクロホン２４により検出された音を示す音響信号を取得する（ステップＳ２１）。次に、制御部２１は、マイクロホン２４から取得した音響信号から、製品識別情報を抽出する（ステップＳ２２ｂ）。次に、制御部２１は、抽出した製品識別情報により、外部装置を遠隔操作するための制御方式の設定を行う（ステップＳ２５）。ここでは制御部２１は、テレビ装置１０の製造メーカや型番等の種別に対応した制御方式を選択して、選択した制御方式を採用するよう設定する。
【００５７】
制御部２１は、ステップＳ２５の処理で制御方式の設定を行った後、テレビ装置１０を遠隔操作するための操作を受け付けると（ステップＳ２６）、その操作の内容に応じて操作信号を生成する（ステップＳ２７）。そして、制御部２１は、生成した操作信号を操作信号送信部２７の制御によりテレビ装置１０に送信する（ステップＳ２８）。
【００５８】
テレビ装置１０のメインコントローラ１１は、操作信号受信部１７により操作信号を受信すると、操作信号受信部１７から取得した操作信号に応じてテレビ装置１０を制御する（ステップＳ１８）。
以降も、放送受信システム１では、ユーザによりテレビ装置１０の遠隔操作するために操作が端末装置２０に対して行われるたびに、ステップＳ２６〜Ｓ２８，Ｓ１８の処理ステップが実行される。
【００５９】
以上説明した第２実施形態の放送受信システム１によれば、テレビ装置１０が音響透かし情報として製品識別情報を送信することで、端末装置２０をテレビ装置１０を遠隔操作するためのリモコン装置として動作させることが可能となる。また、テレビ装置１０の製造メーカや型番によって制御方式が異なっていても製品識別情報に応じた制御方式を選択するので、端末装置２０は、様々な製造メーカや型番のテレビ装置１０の遠隔操作に対応することができる。
【００６０】
＜第２実施形態の変形例＞
上述した第２実施形態の構成を、以下に説明する構成に変形してもよい。
上述した第２実施形態では、テレビ装置１０は製品識別情報を音響透かし情報として重畳させていたが、チャネル情報や音量情報、ユーザ設定情報等の別の制御情報を用いて、音響透かし情報を音響信号に重畳させてもよい。この場合、端末装置２０は音響信号から音響透かし情報を抽出して、抽出した音響透かし情報を用いて特定した制御情報が示す内容を、ＵＩ部２２に表示させる。このようにすれば、テレビ装置１０と端末装置２０とが実質的に双方向通信を行っていることになり、例えば、選局中の放送チャネルや音量設定、テレビ装置１０の動作状態等の、テレビ装置１０に関する情報を、端末装置２０のＵＩ部２２の表示からユーザが把握することができる。よって、このユーザは、端末装置２０に表示されたテレビ装置１０に関する各情報を参照しながら、テレビ装置１０を遠隔操作することも可能である。
この変形例では、例えば、テレビ装置１０は、制御情報に対応した音響透かし情報を、その制御情報が変化したことを契機に音響信号に重畳させ、予め決められた所定期間（例えば、１０秒間）が経過するとその重畳を停止させる。
【００６１】
［変形例］
本発明は、上述した実施形態と異なる形態で実施することが可能である。また、以下に示す変形例は、各々を適宜に組み合わせてもよい。
（変形例１）
上述した第１実施形態では、端末装置２０がコンテンツ情報の提供を受けるためのチャネル情報を、テレビ装置１０が音響信号に重畳させていた。これに対し、端末装置２０がコンテンツ情報の提供を受けるためでなく、選局中の放送チャネルを端末装置２０経由でユーザに知らしめるために、音響信号にチャネル情報を重畳させてもよい。このように、放送受信システム１におけるチャネル情報の用途は、コンテンツ情報の提供を目的としたものに限らない。
【００６２】
（変形例２）
テレビ装置１０が音響信号に重畳させるチャネル情報は、選局情報と同一のものに限らない。例えば、テレビ装置１０は、放送チャネルを「１」だけカウントアップするようにチャネル変更された場合には、その相対的な変化の内容を識別するチャネル情報を音響信号に重畳させてもよい。この場合、端末装置２０が、チャネル変更前に選局中であった放送チャネルを把握していれば、この相対的な変化を示すチャネル情報を用いて、どの放送チャネルが選局中であるかを特定できる。同様に、上述した第２実施形態で、テレビ装置１０が、音量設定の内容を示すユーザ設定情報を音響透かし情報として提供する場合も、相対的な変化を示す情報を音響透かし情報としてもよい。この場合も、端末装置２０がこの変更前の状態を把握していれば、その変化から現時点のテレビ装置１０の状態を把握することができる。
【００６３】
（変形例３）
上述したテレビ装置１０が音響信号に重畳させる音響透かし情報は、テレビ装置１０のＲＡＭ１１１や記憶部１２に記憶される前掲の制御情報以外の制御情報を用いて生成されたものであってもよい。
テレビ装置１０は、記憶部１２に記憶されたＥＰＧデータに含まれる情報を、音響透かし情報として音響信号に重畳させてもよい。例えば、テレビ装置１０は、ＥＰＧデータに基づいて、ユーザが視聴中の放送プログラムの属性を示す属性情報（例えば、放送プログラムが属するジャンル（例えば、ドラマ番組や音楽番組等））を音響信号に重畳させてもよい。この場合、コンテンツサーバ３０が放送プログラムの属性に対応してコンテンツ情報を記憶していれば、ユーザが視聴する放送プログラムの属性に関連したコンテンツ情報を、端末装置２０に提供することができる。例えば、ユーザが音楽番組を視聴していれば、コンテンツサーバ３０はＣＤ（Compact Disk）の発売情報を示すコンテンツ情報を提供する、といった実施が可能である。また、端末装置２０は、コンテンツ情報の提供を受けるのではなく、自装置にインストールされたアプリケーションプログラムのうち、その属性に関連したアプリケーションプログラムの一覧を表示させる処理を実行してもよい。
また、テレビ装置１０は、ＥＰＧデータを参照して、テレビ番組の放送時間帯に変更が生じたと判断した場合に、その変更があった旨を音響透かし情報を用いて端末装置２０に通知してもよい。
【００６４】
このように、テレビ装置１０のメモリに記憶された制御情報を用いて生成された音響透かし情報が、テレビ装置１０から端末装置２０に提供される仕組みが備えられていれば、端末装置２０が音響透かし情報に応じた処理を実行するための仕組みを、従来よりも簡単にすることができる。テレビ装置１０の制御に用いられる制御情報は、典型的にはメインコントローラ１１が行う制御に用いられるが、その制御を行う主体や制御の内容については特に問わない。
【００６５】
（変形例４）
上述した各実施形態において、音を検出する検出部はマイクロホン２４であり、音響透かし情報が重畳させられた音響信号に応じて放音する放音部はスピーカ１６であった。この場合、マイクロホン２４は気体（より具体的には、空気）の振動である音を検出するものであり、スピーカ１６は気体（より具体的には、空気）の振動である音を放射するものである。これに対し、検出部／放音部は、固体や液体の振動を検出／放射するものであってもよい。このとき、放音部は、外部に振動を与える振動子と、この振動子により振動させられる媒体とにより実現される。すなわち、振動子は、部材に弾性波を伝搬させることで音を放射する。一方、検出部は、例えば振動ピックアップ（振動検出子）であり、部材を伝搬する弾性波である音を検出する。
このような検出部／放音部の構成であっても、音響信号が音響透かし情報の周波数成分を含んでいれば、端末装置２０が音響信号から音響透かし情報を抽出し、この音響透かし情報を用いて各種処理を実行することができる。
【００６６】
（変形例５）
上述した第１実施形態の放送受信システム１を以下のように変形してもよい。
図１５は、この変形例の放送受信システム１の全体構成を示す図である。放送受信システム１は、テレビ装置１０と、端末装置２０と、複数のコンテンツサーバ３０（ここでは、コンテンツサーバ３０ａ，３０ｂ，３０ｃを図示。）と、ＩＤ提供サーバ４０とを備える。ＩＤ提供サーバ４０は、端末装置２０がコンテンツ情報の提供を受ける際に、コンテンツ情報の提供を受けるコンテンツサーバ３０を特定するためのサーバＩＤを、端末装置２０に提供する。サーバＩＤは、例えば、コンテンツサーバ３０のＩＰアドレスと認証キーとを含む。
【００６７】
この場合、テレビ装置１０はコンテンツ情報の提供を受けるコンテンツサーバ３０を識別するサーバＩＤの代替情報を、音響透かし情報として音響信号に重畳させる。代替情報は、サーバＩＤよりも情報量が少ないことが好ましい。端末装置２０は、音響透かし情報として代替情報を抽出すると、無線通信部２３の通信により、この代替情報に対応したサーバＩＤの送信をＩＤ提供サーバ４０に要求する。そして、端末装置２０は、ＩＤ提供サーバ４０から提供されたサーバＩＤを用いてコンテンツサーバ３０を特定し、上述した実施形態と同じ手順で、このコンテンツサーバ３０からコンテンツ情報の提供を受ける。
この変形例の構成によれば、音響透かし技術を用いて音響信号に重畳させられる情報の情報量を低減させることができる。
なお、音響透かし情報として代替情報を用いる構成は、上述した第１実施形態の放送受信システム１にも適用可能である。
【００６８】
（変形例６）
端末装置２０が音響透かし情報に応じて実行する処理はいかなるものでもよい。
図１６は、本発明の端末装置が実現する機能的構成を示すブロック図である。音響信号取得部２１１は、テレビ装置１０により生成された音響信号を取得する。抽出部２１２は、音響信号取得部２１１が取得した音響信号から、テレビ装置１０の制御情報を用いて生成された音響透かし情報を抽出する。処理実行部２１９は、抽出部２１２が抽出した音響透かし情報に応じた処理を実行する。
例えば、処理実行部２１９は、上述した通信制御部２１３及びコンテンツ取得部２１４の両機能の実現に必要な処理を実行する。また、処理実行部２１９は、上述した設定部２１５、受付部２１６、操作信号生成部２１７及び送信制御部２１８の全機能の実現に必要な処理を実行する。処理実行部２１９が実行する処理には、上述したコンテンツの取得や遠隔操作のための制御に係る処理以外にも、無線通信部２３を用いた通信やＵＩ部２２を用いた表示、記憶部２６を用いた情報の記憶等の、様々な処理がありうる。
要するに、テレビ装置１０が制御情報を流用して音響透かし情報を生成し、端末装置２０がその制御情報に関連した処理を実行すればよい。
【００６９】
（変形例７）
本発明の放送受信装置は、放送信号を復調して少なくとも音響信号を生成し、生成した音響信号に音響透かし情報を重畳させるものであればよく、テレビ装置に限定されない。例えば、本発明の放送受信装置は、ラジオ放送やいわゆるインターネット放送等の放送信号を受信する放送受信装置であってもよい。つまり、放送コンテンツは少なくとも音を含んでいればよい。本発明の放送受信装置は、放送信号を復調して音響信号を生成する音響生成部（実施形態ではチューナ部）に相当する構成を少なくとも有していればよく、表示部１４やスピーカ１６に相当する構成を有することを必須としない。
本発明の端末装置は、スマートフォン以外の端末であってもよく、例えば、携帯電話機やタブレット端末、ＰＤＡ（Personal Digital Assistant）、モバイルコンピュータ、ゲーム機、デジタルサイネージなどの、種々の端末装置に本発明を適用することもできる。また、スピーカ１６に代えてテレビ装置１０に対して着脱可能な放音装置を用いてもよいし、表示部１４に代えてテレビ装置１０に対して着脱可能な表示装置を用いてもよい。
【００７０】
上述した各実施形態におけるテレビ装置１０のメインコントローラ１１や、端末装置２０の制御部２１、コンテンツサーバ３０の制御部３１によって実行されるプログラムは、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどのコンピュータ読み取り可能な記録媒体に記録した状態で提供し得る。また、インターネットのようなネットワーク経由でダウンロードさせることも可能である。
このようにメインコントローラ１１や制御部２１、制御部３１によって実現される機能は、１又は複数のソフトウェアにより実現されてもよいし、１又は複数のハードウェアにより実現されてもよい。
【符号の説明】
【００７１】
１…放送受信システム、１０…テレビ装置、１１…メインコントローラ、１２…記憶部、１３…チューナ部、１４…表示部、１５１…重畳部、１５２…放音制御部、１６…スピーカ、１７…操作信号受信部、２０…端末装置、２１…制御部、２１１…音響信号取得部、２１２…抽出部、２１３…通信制御部、２１４…コンテンツ取得部、２１５…設定部、２１６…受付部、２１７…操作信号生成部、２１８…送信制御部、２１９…処理実行部、２２…ＵＩ部、２３…無線通信部、２４…マイクロホン、２５…スピーカ、２６…記憶部、２７…操作信号送信部、３０…コンテンツサーバ、３１…制御部、３１１…要求取得部、３１２…コンテンツ提供部、３２…通信部、３３…記憶部、４０…ＩＤ提供サーバ。
【図１】
2014187490.tif 000003
【図２】
2014187490.tif 000004
【図３】
2014187490.tif 000005
【図４】
2014187490.tif 000006
【図５】
2014187490.tif 000007
【図６】
2014187490.tif 000008
【図７】
2014187490.tif 000009
【図８】
2014187490.tif 000010
【図９】
2014187490.tif 000011
【図１０】
2014187490.tif 000012
【図１１】
2014187490.tif 000013
【図１２】
2014187490.tif 000014
【図１３】
2014187490.tif 000015
【図１４】
2014187490.tif 000016
【図１５】
2014187490.tif 000017
【図１６】
2014187490.tif 000018